(57)【要約】      （修正有）【課題】凝縮器全体として水の付着時間を長くする。【解決手段】圧縮機、放熱器１０、蒸発器１２の順に冷媒を循環させる空気調和装置であって、空気調和装置の放熱器１０のフィン１０１の平面領域に蒸発器１２からの結露水が落下すると、フィン１０１の平面領域が上を向いているので結露水は流れ落ちにくく、長くフィン１０１上に留まり、結露水の蒸発量が増加する。蒸発器の下端は、放熱器の下端よりも高い位置に配置されている。【選択図】図６
2022001798.tif 000002
【特許請求の範囲】
【請求項１】
圧縮機（９）、放熱器（１０）、および蒸発器（１２）の順に冷媒を循環させる空気調和装置であって、
前記放熱器（１０）および前記蒸発器（１２）を通過する空気の流れを生成するファン（１３）と、
前記圧縮機（９）、前記放熱器（１０）、前記蒸発器（１２）および前記ファン（１３）を収容するケーシング（２０）と、
を備え、
前記放熱器（１０）は、放熱用の平面領域を上方に向けて配置された放熱部材（１０１，１１３）を有し、
前記蒸発器（１２）の下端は、前記放熱器（１０）の下端よりも高い位置に配置されている、
空気調和装置（１００）。
【請求項２】
前記蒸発器（１２）の鉛直上方からの平面視において、前記蒸発器（１２）および前記放熱器（１０）の投影領域が少なくとも一部分において重複する、
請求項１に記載の空気調和装置（１００）。
【請求項３】
前記結露水を前記放熱器（１０）の風上側に導く導水部（６１）をさらに備える、
請求項２に記載の空気調和装置。
【請求項４】
前記蒸発器（１２）で生じる結露水を受ける水受部材（６０）をさらに備え、
前記水受部材（６０）に前記導水部（６１）が設けられている、
請求項３に記載の空気調和装置（１００）。
【請求項５】
前記水受部材（６０）に、前記蒸発器（１２）の風下側に向かって延びる拡張部（６２）が設けられている、
請求項４に記載の空気調和装置（１００）。
【請求項６】
前記放熱器（１０）は、鉛直方向に間隔を空けて積み重なるように配列された複数のフィン（１０１）と、複数の前記フィン（１０１）を厚み方向に貫通する複数の伝熱管（１０３）と、を有するフィンアンドチューブ式の熱交換器であって、
前記放熱部材が前記フィン（１０１）である、
請求項１から請求項５のいずれか１項に記載の空気調和装置（１００）。
【請求項７】
前記放熱器（１０）は、鉛直方向に間隔を空けて積み重なるように配列された複数の扁平管（１１３）と、隣接する前記扁平管（１１３）に挟まれたフィン（１１５）と、を有する熱交換器であって、
前記放熱部材が前記扁平管（１１３）である、
請求項１から請求項５のいずれか１項に記載の空気調和装置（１００）。
【請求項８】
前記蒸発器（１２）は、伝熱用の平面領域が鉛直方向に延びる伝熱部材（１２１）を有する、
請求項１から請求項５のいずれか１項に記載の空気調和装置（１００）。
【発明の詳細な説明】
【技術分野】
【０００１】
冷媒回路を１つのケーシング内に収納した空気調和装置に関する。
【背景技術】
【０００２】
近年、蒸発器で生じる結露水を凝縮器に散水して蒸発させ、貯水タンクに貯まる水量を減らすように構成した空気調和装置が広く普及している。例えば、特許文献１（特開昭５８−３５３４３号公報）に記載の空気調和装置では、フィンに対して鉛直方向に蛇行するスリットを設け、表面張力により凝縮器のフィン面への結露水の付着時間を長くして、結露水の蒸発量増大を図っている。
【発明の概要】
【発明が解決しようとする課題】
【０００３】
しかしながら、上記のような凝縮器であっても、スリットのない箇所は水の付着時間は短いので、凝縮器全体として水の付着時間を長くすることが課題である。
【課題を解決するための手段】
【０００４】
第１観点の空気調和装置は、圧縮機、放熱器および蒸発器の順に冷媒を循環させる空気調和装置であって、ファンと、ケーシングとを備えている。ファンは、放熱器および蒸発器を通過する空気の流れを生成する。ケーシングは、圧縮機、放熱器、蒸発器およびファンを収容する。放熱器は、放熱部材を有している。その放熱部材は、放熱用の平面領域を上方に向けて配置されている。蒸発器の下端は、放熱器の下端よりも高い位置に配置されている。
【０００５】
この空気調和装置では、放熱器の放熱部材の平面領域に蒸発器からの結露水が落下すると、平面領域が上を向いているので結露水は流れ落ちにくく、長く放熱部材上に留まり、結露水の蒸発量が増加する。
【０００６】
第２観点の空気調和装置は、第１観点の空気調和装置であって、蒸発器の鉛直上方からの平面視において、蒸発器および放熱器の投影領域が少なくとも一部分において重複している。
【０００７】
第３観点の空気調和装置は、第２観点の空気調和装置であって、導水部をさらに備えている。導水部は、結露水を放熱器の風上側に導く。
【０００８】
この空気調和装置では、結露水を放熱器の風上側から放熱部材の平面領域に導くことができ、水がファンの風に押されて平面領域を風上側から風下側へ拡散するので、蒸発効率がよい。
【０００９】
第４観点の空気調和装置は、第３観点の空気調和装置であって、蒸発器で生じる結露水を受ける水受部材（６０）をさらに備えている。水受部材に導水部が設けられている。
【００１０】
この空気調和装置では、水受部材があることによって蒸発器から落下する結露水を集積して導水部に流すことができる。
【００１１】
第５観点の空気調和装置は、第４観点の空気調和装置であって、水受部材に拡張部が設けられている。拡張部は、蒸発器の風下側に向かって水平又は斜め上方に延びる。
【００１２】
この空気調和装置では、蒸発器に生じた結露水がファンの風によって風下側に飛散しても拡張部で捕獲することができる。
【００１３】
第６観点の空気調和装置は、第１観点から第５観点のいずれか１つの空気調和装置であって、放熱器が、複数のフィンと、複数の伝熱管とを有するフィンアンドチューブ式の熱交換器である。複数のフィンは、鉛直方向に間隔を空けて積み重なるように配列されている。複数の伝熱管は、複数のフィンを厚み方向に貫通する。放熱部材はフィンである。
【００１４】
この空気調和装置では、放熱部材であるフィンが鉛直方向に間隔を空けて並列に配置されているので、蒸発器からフィン上に導かれた結露水が流れ落ちにくく、長く放熱部材上に留まり、結露水の蒸発量が増加する。
【００１５】
第７観点の空気調和装置は、第１観点から第５観点のいずれか１つの空気調和装置であって、放熱器が、複数の扁平管とフィンとを有する熱交換器である。複数の扁平管は、鉛直方向に間隔を空けて積み重なるように配列されている。フィンは、隣接する扁平管に挟まれている。放熱部材は扁平管である。
【００１６】
この空気調和装置では、放熱部材である扁平管が鉛直方向に間隔を空けて並列に配置されているので、蒸発器から扁平管上に導かれた結露水が流れ落ちにくく、長く放熱部材上に留まり、結露水の蒸発量が増加する。
【００１７】
第８観点の空気調和装置は、第１観点から第５観点のいずれか１つの空気調和装置であって、蒸発器が伝熱部材を有している。伝熱部材は、伝熱用の平面領域が鉛直方向に延びている。
【００１８】
この空気調和装置では、蒸発器の平面領域（例えば、フィン表面）が鉛直方向に延びるので、蒸発器に生じた結露水が留まりにくく、容易に落下することができる。
【図面の簡単な説明】
【００１９】
【図１】本開示の一実施形態の空気調和装置の冷媒回路図。
【図２】空気調和装置の斜視図。
【図３】ケーシングの第２側面および第３側面が手前側になるように配置したときの空気調和装置の斜視図。
【図４】第２側面が手前側になるように配置して真上から視たときの空気調和装置の平面図。
【図５】放熱器、蒸発器およびファンの位置関係を示す斜視図。
【図６】図５の放熱器、蒸発器およびファンを別の角度から視たときの斜視図。
【図７】水受部材の斜視図。
【図８】図７の水受部材を下方から視たときの斜視図。
【図９Ａ】図３に示す仮想平面Ｆ１において切断された空気調和装置の部分断面図。
【図９Ｂ】図３に示す仮想平面Ｆ２において切断された空気調和装置の部分断面図。
【図１０】第１通風路および第２通風路の斜視図。
【図１１】本実施形態の変形例に使用される放熱器の斜視図。
【発明を実施するための形態】
【００２０】
（１）空気調和装置１００の構成
図１は、本開示の一実施形態の空気調和装置１００の冷媒回路図である。図１において、空気調和装置１００は、圧縮機９、放熱器１０、膨張弁１１および蒸発器１２の順に冷媒が循環する冷媒回路を有している。
【００２１】
放熱器１０および蒸発器１２は、ともにフィンアンドチューブ式の熱交換器である。ケーシング２０は、圧縮機９、放熱器１０、膨張弁１１、蒸発器１２を収容している。さらにケーシング２０は、ファン１３と、圧縮機９およびファン１３を制御する電装品５０（図３，４参照）をも収容している。
【００２２】
なお、本実施形態では、ファン１３は、クロスフローファンであり、放熱器１０および蒸発器１２の風上側に配置されており、放熱器１０および蒸発器１２を通過する空気の流れを生成する。
【００２３】
（２）空気調和装置１００の各部詳細
図２は、空気調和装置１００の斜視図である。図２において、ケーシング２０は、水平断面が略矩形である直方体形状を成しており、長手方向が鉛直方向となるように配置される。
【００２４】
（２−１）ケーシング２０
図２に示すように、ケーシング２０は、第１側壁２１、第２側壁２２、第３側壁２３および第４側壁２４を有している。また、底板２９（図３参照）と天板３０とをさらに有している。ケーシング２０は、第１側壁２１、第２側壁２２、第３側壁２３および第４側壁２４によって形成された筒の両端の開口を底板２９と天板３０とによって閉じた態様である。
【００２５】
また、図２において、上記４つの側壁によって形成される４つのコーナーは、第１側壁２１と第４側壁２４との間に形成されるものを第１コーナー２５とし、そこから右回りに順に第２コーナー２６、第３コーナー２７、第４コーナー２８とする。
【００２６】
ケーシング２０には、第１吸込口５、第２吸込口６、第１吹出口７および第２吹出口８が設けられている。第１吸込口５と第１吹出口７とは、第１側壁２１に形成されている。第２吸込口６は、第４側壁２４に形成されている。第２吹出口８は、第２側壁２２に形成されている。
【００２７】
また、第２側壁２２の下方には、貯水タンク８０を着脱するための貯水タンク装着口２２ａが形成されている。貯水タンク８０は、空気調和装置１００内部で発生した結露水を貯める。
【００２８】
天板３０には、操作パネル３０１と、把手３０３とが設けられている。操作パネル３０１は、空気調和装置１００の運転／停止など、各種の操作を行うためのスイッチを含んでいる。操作パネル３０１は、ユーザーが第２吹出口８と対峙したときに手前側に位置するように設けられている。
【００２９】
図３は、ケーシング２０の第２側壁２２および第３側壁２３が手前側になるように配置したときの空気調和装置１００の斜視図である。また、図４は、第２側壁２２が手前側になるように配置して真上から視たときの空気調和装置１００の平面図である。
【００３０】
図３および図４において、ケーシング２０は輪郭だけを示す二点鎖線で表示している。図３および図４に示すように、圧縮機９、およびファン１３がケーシング２０を鉛直に貫く仮想中心軸よりも第４側壁２４側に配置されている。これらは、他の機器に比べて重量が大きいので、重心位置が中心軸より第４側壁２４側へ偏っている。
【００３１】
それゆえ、図２に示すように、把手３０３を掴んで空気調和装置１００を持ち上げたときに傾かないように、把手３０３は天板３０の中心より第４側壁２４側へ偏った位置に設けられている。
【００３２】
また、図２に示すように、把手３０３は、天板３０の他の部分の面よりも窪んだ平面に設けられており、把手３０３を掴んで持ち上げたときに、人の指が入る程度の隙間ができるように構成されている。
【００３３】
（２−２）放熱器１０、蒸発器１２およびファン１３
図５は、放熱器１０、蒸発器１２およびファン１３の位置関係を示す斜視図である。また、図６は、図５の放熱器１０、蒸発器１２およびファン１３を別の角度から視たときの斜視図である。
【００３４】
図５において、放熱器１０および蒸発器１２はフィンアンドチューブ式熱交換器である。蒸発器１２は、放熱器１０の上方に位置し、且つ、蒸発器１２の鉛直上方から視たとき、蒸発器１２と放熱器１０との投影部分が重なるように配置されている。
【００３５】
（２−２−１）放熱器１０
放熱器１０は、鉛直方向に間隔を空けて積み重なるように配列された複数のフィン１０１と、複数のフィン１０１を厚み方向に貫通する複数の伝熱管１０３とを有している。伝熱管１０３は、空気の流れ方向に３列となるように構成されている。
【００３６】
蒸発器１２で生じる結露水はフィン１０１上に導かれるが、フィン１０１の平面領域が上方を向いているので、結露水が流れ落ち難くフィン１０１に長く留まる。
【００３７】
したがって、フィンの平面領域が鉛直方向と平行に配置される場合に比べて、結露水の蒸発量は多くなり、その分、貯水タンク８０に貯まる結露水を少なくすることができる。
【００３８】
（２−２−２）蒸発器１２
蒸発器１２は、水平方向に間隔を空けて積み重なるように配列された複数のフィン１２１と、複数のフィン１２１を厚み方向に貫通する複数の伝熱管１２３とを有している。伝熱管１２３は、空気の流れ方向に２列となるように構成されている。
【００３９】
フィン１２１の平面領域が鉛直方向に延びるので、蒸発器１２に生じた結露水は留まりにくく、容易に落下することができる。
【００４０】
（２−２−３）ファン１３
ファン１３は、ファンロータ１３ａ、ファンロータ１３ｂおよびファンモータ１３ｃを有している。本実施形態では、ファンロータ１３ａとファンロータ１３ｂとは一体に成形された１つのファンロータであるが、説明の便宜上、ファンロータの放熱器１０側部分をファンロータ１３ａ、蒸発器１２側部分をファンロータ１３ｂと区別している。
【００４１】
ファンモータ１３ｃは底板２９上に固定され、ファンモータ１３ｃの回転軸はファンロータ１３ａに連結されている。
【００４２】
ファンロータ１３ａは放熱器１０に対向する位置にあって空気を放熱器１０に向かって押し出す。ファンロータ１３ｂは蒸発器１２に対向する位置にあって空気を蒸発器１２に向かって押し出す。
【００４３】
このように、ファン１３は、放熱器１０および蒸発器１２の風上側に配置されているので、少なくとも放熱器１０および蒸発器１２に流れる空気の吸込口を共有することができるというメリットがある。
【００４４】
（２−３）水受部材６０
図５および図６に示すように放熱器１０と蒸発器１２との間には、水受部材６０が設けられている。図７は、水受部材６０の斜視図である。図５、図６および図７において、水受部材６０は、水受板６００と、第１側板６０１と、第２側板６０２とによって容器を形成している。
【００４５】
（２−３−１）水受板６００
図７に示すように、水受板６００は水受面６０ａを有している。水受面６０ａは、第１水受面６０ａａ、第２水受面６０ａｂ、第３水受面６０ａｃを含んでいる。
【００４６】
（２−３−１−１）第１水受面６０ａａ
第１水受面６０ａａは、空気流れの風下側になるほど高さ位置が上位となるように傾斜しており、水受面６０ａに落下した結露水は風上側へ流れる。
【００４７】
（２−３−１−２）第２水受面６０ａｂ
第２水受面６０ａｂは、第１水受面６０ａａよりも風上側で、且つ、蒸発器１２側から視て水抜き孔６０ａｄよりも右側に形成された三角形領域ｐｑｒである。第２水受面６０ａｂは３つの頂点ｐ，ｑ，ｒを有し、三角形領域ｐｑｒの三辺のうちの短辺ｐ−ｑが水受面６０ａの右端の一部を兼ねており、残りの辺ｐ−ｒと辺ｑ−ｒは近接しながら左方へ延び、水抜き孔６０ａｄと合流するように頂点ｒが形成されている。辺ｑ−ｒは、第１水受面６０ａａと第２水受面６０ａｂとの境界線である。
【００４８】
辺ｐ−ｑは、頂点ｒより高さ位置が高く設定されているので、辺ｐ−ｒおよび辺ｑ−ｒは頂点ｒに近づくほど高さ位置が低くなっている。
【００４９】
なお、第２水受面６０ａｂには、蒸発器１２の一部形状との干渉を避けるために円弧上に除去した逃し領域６０ａｂ’が形成されているが、この逃し領域６０ａｂ’も水抜き孔６０ａｄに近づくほど高さ位置が低くなるように成形されている。
【００５０】
（２−３−１−３）第３水受面６０ａｃ
第３水受面６０ａｃは、第１水受面６０ａａよりも風上側で、且つ、蒸発器１２側から視て水抜き孔６０ａｄよりも左側に形成された三角形領域ｘｙｚである。第３水受面６０ａｃは３つの頂点ｘ，ｙ，ｚを有し、三角形領域ｘｙｚの三辺のうちの短辺ｘ−ｙが水受面６０ａの左端の一部を兼ねており、残りの辺ｘ−ｚと辺ｙ−ｚが近接しながら右方へ延び、水抜き孔６０ａｄと合流するように頂点ｚが形成されている。辺ｙ−ｚは、第１水受面６０ａａと第３水受面６０ａｃとの境界線である。
【００５１】
辺ｘ−ｙは、頂点ｚより高さ位置が高く設定されているので、辺ｙ−ｚおよび辺ｘ−ｚは頂点ｚに近づくほど高さ位置が低くなっている。
【００５２】
（２−３−１−４）水抜き孔６０ａｄ
水抜き孔６０ａｄは、水受面６０ａの最も高さ位置が低い部分を形成した上で、水受板６００を貫通するように設けられている。水抜き孔６０ａｄは、図６および図７に示すように、ファン１３側から視て水受部材６０の中央よりも左寄りに設けられている。
【００５３】
（２−３−２）第１側板６０１
第１側板６０１は、蒸発器１２側から視て水受板６００の左端から鉛直方向に起立している。第１側板６０１は、水受面６０ａに落下した結露水が左側方から溢れないよう堰き止める機能を有している。
【００５４】
なお、水受面６０ａを挟んで第１側板６０１と反対側にも同様の側板を設けてもよい。但し、本実施形態では、蒸発器１２を側方から挿入することができる構成とするため、第１側板６０１と対向する側を開放している。
【００５５】
（２−３−３）第２側板６０２
第２側板６０２は、ファン１３側から視て水受板６００の風上側の端から鉛直上方に起立している。ファン１３側から視て第１側板６０１の風上側の端と第２側板６０２の左端とは繋がっている。第２側板６０２は、水受面６０ａの傾斜に沿って風上側に流れてくる結露水を水受面６０ａの風上側で堰き止める機能を有している。
【００５６】
（２−３−４）導水部６１
図８は、図７の水受部材６０を下方から視たときの斜視図である。図８において、導水部６１は、水受面６０ａの高さ位置が最も低い部分から下方に延びる水路である。導水部６１は筒状を成し、その空洞部分は水受板６００の水抜き孔６０ａｄ（図７参照）と繋がっている。図６に示すように、導水部６１の先端は放熱器１０の風上側に位置し、その先端は放熱器１０の上から複数枚目のフィン１０１の高さ位置まで延びている。
【００５７】
導水部６１の先端部６１ａは、下方になるほど放熱器１０に近づく滑らかな円弧状に成形されている。その先端部６１ａの断面形状は凹形状であり、その凹形状は底を風上側に向け、放熱器１０のフィン１０１に向かって開いている。それゆえ、結露水は、導水部６１によって放熱器１０のフィン１０１に導かれる。
【００５８】
導水部６１および水受板６００の水抜き孔６０ａｄは、図６および図８に示すように、ファン１３側から視て水受部材６０の中央よりも左寄りに設けられている。導水部６１は、風の抵抗となりにくい場所（例えば、風速の小さい場所）に配置されるのが望ましい。
【００５９】
（２−３−５）拡張部６２
水受部材６０は、拡張部６２をさらに有している。図６に示すように、拡張部６２は、水受板６００の風下側の端部からさらに風下側に向かって延びている。拡張部６２は拡張面６２ａを有し、その拡張面６２ａは水受面６０ａの風下側の端部からさらに風下側に向かってほぼ水平に延びる。
【００６０】
さらに、拡張部６２は、放熱器１０を通過した空気が通る第１通風路１８と蒸発器１２を通過した空気が通る第２通風路１９とを上下に分ける仕切部材としての機能も果たしている。
【００６１】
（２−３−６）リブ６３
図５および図７に示すように、２つのリブ６３が水受部材６０に設けられている。リブ６３は、蒸発器１２側から視て、水受面６０ａから拡張面６２ａの先端に向かって延びている。２つのリブ６３は互いに平行であり、その間隔は、伝熱管１２３を除いた蒸発器１２の横幅より大きい。
【００６２】
説明の便宜上、蒸発器１２から視て、左側のリブ６３を第１リブ６３１、右側のリブ６３を第２リブ６３２と言う。第１リブ６３１には、長手方向に延びる溝６３１ａが設けられている。同様に、第２リブ６３２には、長手方向に延びる溝６３２ａが設けられている。溝６３１ａ，６３２ａには、蒸発器１２側の第２通風路１９の部材がはめ込まれる。
【００６３】
（２−３−７）ファン側案内板６４
図６および図７に示すように、ファン側案内板６４は、第２側板６０２からファン１３に向かって延びる板である。ファン側案内板６４はファンロータ１３ａ又はファンロータ１３ｂの外周に沿った円弧端６４ａを有し、その円弧端６４ａはファンロータ１３ａ又はファンロータ１３ｂに近接している。
【００６４】
ファン側案内板６４は、ファン１３から吹き出される空気を放熱器１０側と蒸発器１２とに分ける。本実施形態において、ファン側案内板６４は、ファン１３に向かって斜め上方に傾いている。これは、放熱器１０の通風抵抗が蒸発器１２よりも大きいので、放熱器１０に蒸発器１２よりも多くの空気を押し込むようにしているからである。
【００６５】
（２−４）貯水タンク８０
図５および図６に示すように、貯水タンク８０は、放熱器１０の下方に配置されており、放熱器１０で蒸発しきれずに落下してくる結露水を受け止めて貯える。そのため、貯水タンク８０の上蓋８１には中央に向かって高さ位置が低くなる凹状面８１ａが形成されており、凹状面８１ａの中央部は貫通孔８１ｂが設けられている。
【００６６】
上蓋８１の凹状面８１ａに落下した結露水は中央に集合し、貫通孔８１ｂから貯水タンク８０内に進入する。
【００６７】
（３）放熱器１０を通過する空気の経路
図９Ａは、図３に示す仮想平面Ｆ１において切断された空気調和装置１００の部分断面図である。図９Ａにおいて、ファン１３のファンロータ１３ａは、第１側壁２１と第４側壁２４とで形成された第１コーナー２５に近い空間に、回転軸を鉛直方向に向けて配置されている。ファンロータ１３ａが回転すると、ケーシング２０の外側の空気が第１吸込口５と第２吸込口６から吸い込まれる。
【００６８】
（３−１）第１ディフューザ１５ａ
第１ディフューザ１５ａは、ファンロータ１３ａによって導入された空気を、その空気の流れの下流側に配置された放熱器１０に向けて拡散させる。ファンロータ１３ａの回転軸方向から視て、第１ディフューザ１５ａの最大幅は、放熱器１０の幅に対応するように設定されている。第１ディフューザ１５ａは、軽量化のため発泡材で成形されている。
【００６９】
（３−２）第１スクロール１６ａ
第１スクロール１６ａは、第１ディフューザ１５ａよりも風上側に位置しており、ファンロータ１３ａの外周から徐々に遠心方向に離れるように湾曲しながら延びて第１ディフューザ１５ａに繋がっている。第１スクロール１６ａは、軽量化のため発泡材で成形されている。
【００７０】
（３−３）第１舌部１７ａ
第１舌部１７ａは、第１ディフューザ１５ａよりも風上側に位置しており、第１スクロール１６ａとは異なる位置で、ファンロータ１３ａの外周に最も近接する壁の端部から反り返るように第１ディフューザ１５ａに繋がっている。第１舌部１７ａは、軽量化のため発泡材で成形されている。
【００７１】
（３−４）第１通風路１８
図１０は、第１通風路１８および第２通風路１９の斜視図である。図１０において、第１通風路１８は、放熱器１０の風下側で、且つ、水受部材６０の下方に位置している。第１通風路１８は、円弧状の偏向板１８１と、偏向板１８１の端から真っ直ぐに延びる案内板１８２とを有している。案内板１８２が放熱器１０と対向するように配置されると、偏向板１８１が放熱器１０の一端と案内板１８２の一端を繋ぐ壁となる。
【００７２】
それゆえ、図９Ａに示すように、第１通風路１８は、第２側壁２２に向かって延びたのち徐々に方向を第１側壁２１に向け、最終的にほぼ９０°方向転換して、第１側壁２１の第１吹出口７と繋がる。第１通風路１８は、樹脂で成形されている。
【００７３】
（４）蒸発器１２を通過する空気の経路
図９Ｂは、図３に示す仮想平面Ｆ２において切断された空気調和装置１００の部分断面図である。図９Ｂにおいて、ファン１３のファンロータ１３ｂは、第１側壁２１と第４側壁２４とで形成された第１コーナー２５に近い空間に、回転軸を鉛直方向に向けて配置されている。ファンロータ１３ｂが回転すると、ケーシング２０の外側の空気が第１吸込口５と第２吸込口６から吸い込まれる。
【００７４】
（４−１）第２ディフューザ１５ｂ
第２ディフューザ１５ｂは、ファンロータ１３ｂによって導入された空気を、その空気の流れの下流側に配置された蒸発器１２に向けて拡散させる。ファンロータ１３ｂの回転軸方向から視て、第２ディフューザ１５ｂの最大幅は、蒸発器１２の幅に対応するように設定されている。第２ディフューザ１５ｂは、軽量化のため発泡材で成形されている。
【００７５】
（４−２）第２スクロール１６ｂ
第２スクロール１６ｂは、第２ディフューザ１５ｂよりも風上側に位置しており、ファンロータ１３ｂの外周から徐々に遠心方向に離れるように湾曲しながら延びて第２ディフューザ１５ｂに繋がっている。第２スクロール１６ｂは、軽量化のため発泡材で成形されている。
【００７６】
本実施形態では、第１スクロール１６ａと第２スクロール１６ｂとは一体に成形されており、ファン１３の回転軸方向から視て、第１スクロール１６ａと第２スクロール１６ｂとは同じ位置にあり、この構成によって送風効率が向上する。
【００７７】
但し、第１スクロール１６ａと第２スクロール１６ｂとが別個に成形されたものであっても、ファン１３の回転軸方向から視て、第１スクロール１６ａと第２スクロール１６ｂとのずれが中心角にして５°以内であれば、同様の送風効率が得られる。
【００７８】
（４−３）第２舌部１７ｂ
第２舌部１７ｂは、第２ディフューザ１５ｂよりも風上側に位置しており、第２スクロール１６ｂとは異なる位置で、ファンロータ１３ｂの外周に最も近接する壁の端部から反り返るように第２ディフューザ１５ｂに繋がっている。第２舌部１７ｂは、軽量化のため発泡材で成形されている。
【００７９】
本実施形態では、第１舌部１７ａと第２舌部１７ｂとは一体に成形されており、ファン１３の回転軸方向から視て、第１舌部１７ａと第２舌部１７ｂとは同じ位置にあり、この構成によって送風効率が向上する。
【００８０】
但し、第１舌部１７ａと第２舌部１７ｂとが別個に成形されたものであっても、ファン１３の回転軸方向から視て、第１舌部１７ａと第２舌部１７ｂとのずれが中心角にして５°以内であれば、同様の送風効率が得られる。
【００８１】
（４−４）第２通風路１９
図１０に示すように、第２通風路１９は、蒸発器１２の風下側で、且つ、水受部材６０の上方に位置している。第２通風路１９は、第１縦板１９１、第２縦板１９２と、この２つの縦板の上端間を繋ぐ横板１９３とを有している。
【００８２】
第１縦板１９１の下端は、水受部材６０の第１リブ６３１の溝６３１ａにはめ込まれている。また、第２縦板１９２の下端は、水受部材６０の第２リブ６３２の溝６３２ａにはめ込まれている。
【００８３】
したがって、第２通風路１９は、水受部材６０、第１縦板１９１、第２縦板１９２、および横板１９３によって囲まれた真っ直ぐに延びる空間である。それゆえ、第２通風路１９は、図９Ｂに示すように、第２側壁２２に向かって延びて第２側壁２２の第２吹出口８と繋がる。第２通風路１９は、軽量化のため発泡材で成形されている。
【００８４】
（５）特徴
（５−１）
空気調和装置１００では、放熱器１０のフィン１０１の平面領域に蒸発器１２からの結露水が落下すると、フィン１０１の平面領域が上を向いているので結露水は流れ落ちにくく、長くフィン１０１上に留まり、結露水の蒸発量が増加する。
【００８５】
（５−２）
空気調和装置１００では、蒸発器１２の鉛直上方からの平面視において、蒸発器１２および放熱器１０の投影領域が少なくとも一部分において重複している。
【００８６】
（５−３）
また、蒸発器１２と放熱器１０との間に、導水部６１が設けられているので、結露水を放熱器１０の風上側からフィン１０１の平面領域に導くことができ、水がファン１３の風に押されて平面領域を風上側から風下側へ拡散するので、蒸発効率がよい。
【００８７】
（５−４）
空気調和装置１００では、蒸発器１２で生じる結露水を受ける水受部材６０をさらに備えており、水受部材６０に導水部６１が設けられている。それゆえ、水受部材６０が蒸発器１２から落下する結露水を集積して導水部６１へ流すことができる。
【００８８】
（５−５）
また、水受部材６０は拡張部６２を有している。拡張部６２は、蒸発器１２の風下側に向かってほぼ水平に延びている。
【００８９】
（５−６）
空気調和装置１００では、放熱器１０がフィンアンドチューブ式の熱交換器であって、複数のフィンが鉛直方向に間隔を空けて積み重なるように配列されている。蒸発器１２からフィン１０１上に導かれた結露水は流れ落ちにくく、長くフィン１０１上に留まり、結露水の蒸発量が増加する。
【００９０】
（５−７）
空気調和装置１００では、蒸発器１２のフィン１２１の平面領域が鉛直方向に延びているので、蒸発器１２に生じた結露水が留まりにくく、容易に落下することができる。
【００９１】
（６）変形例
上記実施形態では、放熱器としてフィンアンドチューブ式の熱交換器を採用しているが、これに限定されるものではない。例えば、放熱器１０が複数の扁平管と、フィンとを有する熱交換器であってもよい。
【００９２】
図１１は、本実施形態の変形例に使用される放熱器１０の斜視図である。図１１において、放熱器１０は、扁平管１１３、波形フィン１１５及びヘッダ１５１を有している。扁平管１１３は、アルミニウムまたはアルミニウム合金から成形されており、放熱面となる平面領域と、冷媒が流れる複数の冷媒流路（図示せず）を有している。図１１に示すように、扁平管１１３は、平面領域を上下に向けた状態で複数段配列されている。
【００９３】
波形フィン１１５は、波形に折り曲げられたアルミニウム製またはアルミニウム合金製のフィンである。図１１に示すように、波形フィン１１５は、上下に隣接する扁平管１１３に挟まれた通風空間に配置され、谷部および山部が扁平管１１３の平面領域と接触している。なお、谷部と山部と平面領域とはロウ付け溶接されている。
【００９４】
図１１において、ヘッダ１５１は、上下方向に複数段配列された扁平管１１３の両端に連結されている。ヘッダ１５１は、扁平管１１３を支持する機能と、冷媒を扁平管１１３の冷媒流路に導く機能と、冷媒流路から出てきた冷媒を集合させる機能とを有している。
【００９５】
このような放熱器１０では、扁平管１１３が鉛直方向に間隔を空けて並列に配置されているので、蒸発器１２から扁平管１１３上に導かれた結露水が流れ落ちにくく、長く扁平管１１３上に留まり、結露水の蒸発量が増加する。
【００９６】
以上、本開示の実施形態を説明したが、特許請求の範囲に記載された本開示の趣旨および範囲から逸脱することなく、形態や詳細の多様な変更が可能なことが理解されるであろう。
【産業上の利用可能性】
【００９７】
本開示の内容は、局所的な冷房又は暖房を行う空気調和装置、若しくはウィンドウ・エアコンに有用である。
【符号の説明】
【００９８】
９          圧縮機
１０        放熱器
１２        蒸発器
１３        ファン
２０        ケーシング
６０        水受部材
６１        導水部
６２        拡張部
１００      空気調和装置
１０１      フィン（放熱部材）
１０３      伝熱管
１１３      扁平管（放熱部材）
１１５      波形フィン
１２１      フィン（伝熱部材）
【先行技術文献】
【特許文献】
【００９９】
【特許文献１】特開昭５８−３５３４３号公報
【図１】
2022001798.tif 000003
【図２】
2022001798.tif 000004
【図３】
2022001798.tif 000005
【図４】
2022001798.tif 000006
【図５】
2022001798.tif 000007
【図６】
2022001798.tif 000008
【図７】
2022001798.tif 000009
【図８】
2022001798.tif 000010
【図９Ａ】
2022001798.tif 000011
【図９Ｂ】
2022001798.tif 000012
【図１０】
2022001798.tif 000013
【図１１】
2022001798.tif 000014